(57)【特許請求の範囲】
【請求項１】
電流端子及び電圧端子を含む電力量計と、該電力量計に性能試験のための電力を供給する試験装置とを電気的に接続する自動結線装置であって、
前記電力量計が設置される電力量計設置部と、
前記電流端子の一方の面と接触する第一の電流端子接触部と、
前記第一の電流端子接触部と対向する位置に設けられる絶縁ブロックと、
前記絶縁ブロックに取り付けられて前記電流端子の他方の面と接触する第二の電流端子接触部と、
前記絶縁ブロックに取り付けられて前記電圧端子と接触する電圧端子接触部と、
前記第一の電流端子接触部を昇降移動させる昇降制御機構と、
前記電力量計を前記電力量計設置部に係止する電力量計係止機構とを備え、
前記電力量計が前記電力量計設置部に設置されたときに、
前記電力量計の前記電流端子は、前記第一及び第二の電流端子接触部の間に位置し、前記昇降制御機構が、前記第一の電流端子接触部を降下させると、前記第一及び第二の電流端子接触部は、前記電流端子を挟持し、
前記電力量計の前記電圧端子は、前記電圧端子接触部と当接すると、前記電力量計内部に押し込まれることを特徴とする自動結線装置。
【請求項２】
前記電力量計設置部に前記電力量計が設置されたか否かを判定する電力量計設置判定センサーと、
前記電力量計設置判定センサーより、前記電力量計設置部に前記電力量計が設置された旨の情報を受信した場合に、前記昇降制御機構を、駆動可能状態として設定し、試験終了後に前記昇降制御機構の上昇及び前記電力量計係止機構の下降とを連動して制御し、前記電力量計設置判定センサーより、前記電力量計設置部から前記電力量計が取り外された旨の情報を受信した場合に前記電力量計係止機構を上昇させる制御を行う演算部とをさらに備える請求項１に記載の自動結線装置。
【請求項３】
受光アームと、受光アームの軸部を回転させ、前記軸部を中心に受光アームを回動させる受光アーム回動制御部とを含むパルス光線受光機構を、さらに備え、
前記受光アームの端部には、前記電力量計に設けられ、前記電力量計により計測された電力量に応じた光線を発光する光線発光部からの光線を受光する受光素子が設けられ、
前記受光アーム回動制御部の制御により、前記受光アームが、前記電力量計設置部に設置された前記電力量計の前方を回動することで、前記受光素子が、前記光線発光部と直接対向する位置に移動する請求項１又は２に記載の自動結線装置。
【発明の詳細な説明】
【技術分野】
【０００１】
本発明は、電力量計、特に電子式電力量計を試験装置に接続して性能試験を行うために、電力量計と試験装置とを電気的に接続する自動結線装置に関する。
【背景技術】
【０００２】
従来から、電流と電圧を計測して電力を積算し計量する電力量計は、一般家庭、店舗、工場ごとに設置され、電力会社から供給される電力について、その料金を算定する上で、重要な役割を担っている。そのため、電力量計が正確に動作し、所定規格を満たしていなければならず、かかる所定の規格を満たしているかを検査するめの性能試験（以下、単に「試験」という。）が行われている。
【０００３】
この試験を行うために、測定する電力量計毎に、試験装置の電源側の接続導線と電力量計の各外部端子とを結線する必要がある。この場合、試験装置の電源側の接続導線と電力量計の各外部端子とは、例えば検定試験台に設けられた結線器を介して互いに接続される。
【０００４】
特許文献１には、このような結線器に関する技術が開示されているが、特許文献１に開示された結線器は、電力量計に設けられる筒状端子に嵌め合わされ、先端部を軸方向に分割する割り溝を有する電流端子を備え、前記電流端子の内部に、前記割り溝に達する位置まで挿入されたチューブが配置され、前記チューブに圧縮気体が供給されることで、前記チューブが膨張し、前記電流端子の先端部が拡径することで、前記電流端子と前記筒状端子とが接触して、前記電力量計との接続が行われる自動結線器である。さらに、この自動結線器は、前記電流端子を保持するとともに、左右にスライド移動可能な絶縁ブロックを備えることで、電力量計の筒状端子の位置に応じて、前記電流端子の位置決めを行うことが可能である。
【先行技術文献】
【特許文献】
【０００５】
【特許文献１】特開２００１−２３５５２７号公報
【発明の概要】
【発明が解決しようとする課題】
【０００６】
しかしながら、特許文献１に記載の技術は、従来の一般家庭でも多く目にする内部に回転する円盤が見える誘導形電力量計に使用されるものであり、近年普及し始めた電子式電力量計には使用することができない。また、電流端子先端部と、電力量計の筒状端子とを接触させるためのチューブを電流端子内部に配置しなければならず、作業コストの点で課題がある。
【０００７】
近年、時間帯別に計測することができ、遠隔地との通信により電力量を遠隔地においてリアルタイムで捕捉することができる電子式電力量計が普及し始めている。この電子式電力量計は、電力量計の定格及び電力会社により様々な形状があり、外部に接続するための電流端子及び電圧端子の形状も異なる。電子式電力量計の中でも、外部接続用電流端子が平型端子で、外部接続用電圧端子が押圧されるとプッシュスイッチのように上下動する可動端子を備える電子式電力量計に関する試験を行うために、試験装置の電源側の接続導線と電子式電力量計の外部接続用電流端子及び外部接続用電圧端子とを、自動で接続し、かつ、接続部分の電気抵抗を少なくし発熱量を少なく抑えるように構成された自動結線装置はこれまで存在しなかった。
【０００８】
本発明は、ローコストで製造可能であるとともに、外部接続用電流端子が平型端子で、外部接続用電圧端子が押圧するとプッシュスイッチのように上下動する可動端子を備える電子式電力量計について試験を行うために、試験装置の電源側の接続導線と電子式電力量計の外部接続用電流端子及び外部接続用電圧端子とを、自動で接続し、かつ、接続部分の電気抵抗を少なくし発熱量を少なく抑えることが可能な自動結線装置を提供することを目的とする。
【課題を解決するための手段】
【０００９】
前記課題を解決するための本発明に係る自動結線装置は、
電流端子及び電圧端子を含む電力量計と、該電力量計に性能試験のための電力を供給する試験装置とを電気的に接続する自動結線装置であって、
前記電力量計が設置される電力量計設置部と、
前記電流端子の一方の面と接触する第一の電流端子接触部と、
前記第一の電流端子接触部と対向する位置に設けられる絶縁ブロックと、
前記絶縁ブロックに取り付けられて前記電流端子の他方の面と接触する第二の電流端子接触部と、
前記絶縁ブロックに取り付けられて前記電圧端子と接触する電圧端子接触部と、
前記第一の電流端子接触部を昇降移動させる昇降制御機構と、
前記電力量計を前記電力量計設置部に係止する電力量計係止機構とを備え、
前記電力量計が前記電力量計設置部に設置されたときに、
前記電力量計の前記電流端子は、前記第一及び第二の電流端子接触部の間に位置し、前記昇降制御機構が、前記第一の電流端子接触部を降下させると、前記第一及び第二の電流端子接触部は、前記電流端子を挟持し、
前記電力量計の前記電圧端子は、前記電圧端子接触部と当接すると、前記電力量計内部に押し込まれることを特徴としている。
【００１０】
また、本発明に係る自動結線装置は、前記電力量計設置部に前記電力量計が設置されたか否かを判定する電力量計設置判定センサーと、
前記電力量計設置判定センサーより、前記電力量計設置部に前記電力量計が設置された旨の情報を受信した場合に、前記昇降制御機構を、駆動可能状態として設定し、試験終了後に前記昇降制御機構の上昇及び前記電力量計係止機構の下降とを連動して制御し、前記電力量計設置判定センサーより、前記電力量計設置部から前記電力量計が取り外された旨の情報を受信した場合に前記電力量計係止機構を上昇させる制御を行う演算部とをさらに備えることが好ましい。
【発明の効果】
【００１１】
本発明によれば、構造がシンプルなことから、ローコストで製造可能であるとともに、外部接続用電流端子が平型端子で、外部接続用電圧端子が押圧するとプッシュスイッチのように上下動する可動端子を備える電子式電力量計の試験を行うために、試験装置の電源側の接続導線と電子式電力量計の外部接続用電流端子及び外部接続用電圧端子とを、自動で接続し、かつ、接続部分の電気抵抗を少なくし発熱量を少なく抑えることが可能な自動結線装置を提供することができる。
【発明を実施するための形態】
【００１２】
以下、図面を参照して本発明の望ましい実施形態を詳細に説明する。但し、本発明は多くの異なる態様で実施することが可能であり、以下に示す実施の形態の記載内容に限定して解釈されるものではない。
【００１３】
まず、図１〜図３により、本発明の一実施形態に係る自動結線装置によって試験装置と電気的に接続される電子式電力量計の概略について説明する。図１は、電子式電力計の正面図、図２は、電子式電力量計の底面図、図３（ａ）は、電子式電力量計の右側面図である。図３（ｂ）は、図３（ａ）の右下部分の内部を拡大したもので、電流端子１１００及び電圧端子１２００を示した図である。
【００１４】
この電子式電力量計１０００は、図２に示すように、その底面に、電子式電力量計１０００をビル、家屋等に備え付ける際に使用される２本の固定用金具１４００、４本の電流端子１１００、３本の電圧端子１２００、そして、図１に示すように、その正面の所定箇所（図１では上部中央）に試験時に電力量計１０００が計測した電力量に応じて所定周期のパルス光線（例えば赤外線等）を発光する光線発光部１３００とを含む構成である。
【００１５】
４本の電流端子１１００は、平型であるとともにネジで固定できるように略中央に丸いネジ用の半円の孔が設けられている。なお、本書面において、図３（ｂ）に示すように電流端子１１００について、便宜上、一方の面（デジタル表示面側）に１１１０と符合を付し、他方の面（電圧端子側）に１１２０と符合を付す。また、図３（ｂ）に示す電圧端子１２００は、プッシュスイッチのように、図に示す矢印の方向に押圧されると可動して、電子式電力量計１０００の内部に押し込まれる機構を備えている。
【００１６】
次に、図４〜図７により、本発明の一実施形態に係る自動結線装置について説明する。図４は、自動結線装置の側面図、図５は、自動結線装置の正面図、図６は、自動結線装置を図４に示すＡ−Ａ線の矢視図、図７は、電子式電力量計が自動結線装置にセットされる前後の様子を示す図である。
【００１７】
図４及び図５に示すように、本実施形態に係る自動結線装置１０は、電力量計設置部１００、第一の電流端子接触部２００、第二の電流端子接触部２１０、電圧端子接触部３００、昇降制御機構４００、電力量計設置判定センサー５００、電力量計係止機構６００、を含む構成である。
【００１８】
電力量計設置部１００は、基板７００上で、試験時に電子式電力量計１０００が設置される領域であり、図５において斜線で示される。本実施形態では、試験の際、電子式電力量計１０００を設置位置にしっかり固定できるよう、接触部分に摩擦の生じるラバーマットとしている。
【００１９】
第一の電流端子接触部２００は、試験時に電力量計設置部１００に設置された電子式電力量計１０００の電流端子１１００の一方の面１１１０と接触する導電性の部材である。また、第一の電流端子接触部２００は、導線２２０ａを介して試験装置の電源側（図示しない）と接続している。この第一の電流端子接触部２００を通じて、試験装置から電子式電力量計１０００に電流が流される。
【００２０】
第一の電流端子接触部２００は、後述する第二の電流端子接触部２１０と対向するよう設置される（すなわち、電子式電力量計１０００が、電力量計設置部１００に設置されると、前記電流端子１１００の一面１１１０とも対向する）。また、第一の電流端子接触部２００は、後述する昇降制御機構４００に取り付けられ、昇降制御機構４００の降下に伴って下降する。
【００２１】
第一の電流端子接触部２００の形状は、電子式電力量計１０００の電流端子１１００と接触できるものであれば特に限定されるものではない。ただし、電流端子１１００が平型端子であることを考慮すると、第一の電流端子接触部２００の電流端子１１００との接触面積を広く面状とすることができるよう、第一の電流端子接触部２００側の接触箇所が平面であることが好ましい。そのため、本実施形態では、第一の電流端子接触部２００を板状部材としている。
【００２２】
第二の電流端子接触部２１０は、試験時に電力量計設置部１００に設置された電子式電力量計１０００の電流端子１１００の他方の面１１２０（電流端子１１００の有する面のうち、上記第一の電流端子接触部２００と接する一方の面１１１０と相対する面）と接触する導電性の部材である。また、第二の電流端子接触部２１０は、導線２２０ｂを介して試験装置の電源側（図示しない）と接続している。前記第一の電流端子接触部２００と同様、第二の電流端子接触部２１０を通じても、試験装置から電子式電力量計１０００に電流が流される。
【００２３】
第二の電流端子接触部２１０は、図４及び図６に示すように、前記第一の電流端子接触部２００と対向する位置にあり、また電子式電力量計１０００が電力量計設置部１００に設置された際、その底面と接触する位置に設置される絶縁ブロック７１０に取り付けられる。より詳細には、絶縁ブロック７１０の、前記第一の電流端子接触部２００と対向する面上に取り付けられる。
【００２４】
第二の電流端子接触部２１０の形状は、電子式電力量計１０００の電流端子１１００と接触できるものであれば特に限定されるものではない。ただし、電流端子１１００が平型端子であることを考慮すると、第一の電流端子接触部２００と同様に平面であることが好ましい。そのため、本実施形態では、第二の電流端子接触部２１０を板状部材としている。
【００２５】
電圧端子接触部３００は、試験時に電力量計設置部１００に設置された電子式電力量計１０００の電圧端子１２００と接触する導電性の部材である。また、電圧端子接触部３００は、導線３３０を介して試験装置の電源側と接続している（図示しない）。この電圧端子接触部３００を通じて、試験装置から電子式電力量計１０００に電圧がかけられる。
【００２６】
電圧端子接触部３００は、電力量計設置部１００に設置された電子式電力量計１０００の電圧端子１２００と接触可能とするため、本実施形態では、図４及び図６に示すように、絶縁ブロック７１０に取り付けられる（図４及び図５では、自動結線装置１０をコンパクト化するため、電圧端子接触部３００を、前記第一の電流端子接触部２００と隣接して設置しているが、これに限定されるものではない。）。
【００２７】
電圧端子接触部３００は、本実施形態では、絶縁ブロック７１０の電子式電力量計１０００の底面と接触する面上に配置されて電圧端子１２００と接触する端子接触部３１０と、絶縁ブロック７１０の第一の電流端子接触部２００と対向する面上に配置されて、導線３３０と接続する導線接続部３２０とを備える。
【００２８】
このように、電圧端子接触部３００を絶縁ブロック７１０に取り付けることで、電子式電力量計１０００が電力量計設置部１００に設置される際、電圧端子１２００は、端子接触部３１０に当接して、電子式電力量計１０００内部に押し込まれる。なお、電圧端子接触部３００の形状は、特に限定されるものではなく、図６に示すように、導線接続部３２０が端子接触部３１０の左右のいずれかの端から延びる形状（Ｌ字型）としてもよいし、導線接続部３２０が端子接触部３１０の中央から延びる形状（Ｔ字型）としてもよい。
【００２９】
昇降制御機構４００は、その所定箇所に第一の電流端子接触部２００が取り付けられ、下記のエアシリンダ４３０の作用によりピストン運動をすることで、第一の電流端子接触部２００を昇降移動させるものである。なお、昇降制御機構４００は、図４及び図５に示すように、電力量計設置部１００の下方（絶縁ブロック７１０よりもさらに下方）に配置している。
【００３０】
昇降制御機構４００は、第一の電流端子接触部２００を取付固定する取付部４１０と、取付部４１０を支持する支持シャフト４２０と、少なくとも２つの空気口を有し、電磁弁（図示しない）のスイッチングによっていずれか一方の空気口から空気が供給されると他方の空気口から空気が排気され、内部のピストン部４４０を移動させるエアシリンダ４３０とを含み、支持シャフト４２０とピストン部４４０とが螺子留めされるなどして接続する構成である。（図６に示すように、シリンダヘッド４５０を介して、支持シャフト４２０とピストン部４４０とを接続してもよい。）なお、図４及び図６に示すように、昇降制御機構４００は、支持シャフト４２０が基板７００に挿通されて、全体が基板７００に対して略垂直に立設される。
【００３１】
昇降制御機構４００は、エアシリンダ４３０の作用により、ピストン部４４０及びそれに接続する支持シャフト４２０を昇降させる。それにより、ピストン部４４０及び支持シャフト４２０の動作と同じ方向に第一の電流端子接触部２００が移動し、電子式電力量計１０００の電流端子１１００と第一の電流端子接触部２００との接触又は切り離しの制御を行う。
【００３２】
本実施形態に係る自動結線装置１０と、電子式電力量計１０００の電流端子１１００及び電圧端子１２００との電気的接続の詳細は下記の通りである。図７（ａ）は、電子式電力量計１０００が、自動結線装置１０にセットされる直前の状態を示す図である。その後、図７（ｂ）に示すように、電子式電力量計１０００が移動して、電圧端子１２００が、絶縁ブロック７１０に取り付けられた電圧端子接触部３００と当接し、電子式電力量計１０００の内部に押し込まれる（このとき、電子式電力量計１０００は、下記電力量計係止機構６００に係止され、電力量計設置部１００内の所定位置で固定されている）。
【００３３】
一方、この状態で、電流端子１１００は、降下待機状態にある第一の電流端子接触部２００と、絶縁ブロック７１０に取り付けられた第二の電流端子接触部２１０との間に位置する。そして、昇降制御機構４００のスイッチ（図示しない）をＯＮすることにより、昇降制御機構４００の支持シャフト４２０の降下に伴い、第一の電流端子接触部２００が下降し、電流端子１１００が、第一及び第二の電流端子接触部２００、２１０に挟持される状態となる（すなわち、第一の電流端子接触部２００が、電流端子１１００の一方の面１１１０と接触し、第二の電流端子接触部２１０が、電流端子１１００の他方の面１１２０と接触する。）。
【００３４】
このように、第一の電流端子接触部２００が、電流端子１１００の一方の面１１１０と接触し、第二の電流端子接触部２１０が、電流端子１１００の他方の面１１２０と接触することで、接触部分の面積を広くすることができ、そこに生じる電気抵抗及び発熱量を低く抑えることができる。
【００３５】
なお、自動結線装置１０は、図５に示すように、電力量計設置部１００の内側に、電子式電力量計１０００が設置されたか否かを判定する電力量計設置判定センサー５００を備えることが好ましい。この電力量計設置判定センサー５００の構成は、例えば、発光部及び受光部を含む。また、電子式電力量計１０００が設置されたか否かは、電力量計設置部１００に設置された電子式電力量計１０００が発光部からの光を遮り、その光が反射し、反射光を受光部が受け取った場合には、電子式電力量計１０００が電力量計設置部１００に設置されていると判定され、逆に、発光部からの光を受光部が受け取らない場合には、電子式電力量計１０００が電力量計設置部１００に設置されていないと判定される。
【００３６】
電力量計設置判定センサー５００により、電子式電力量計１０００が電力量計設置部１００に設置されない限り、昇降制御機構４００が駆動されないような構成とすれば、電子式電力量計１０００が電力量計設置部１００に設置されていないにも関わらず、昇降制御機構４００が動作するという事態を防ぐことができる。
【００３７】
電力量計係止機構６００は、電力量計設置部１００に設置された電子式電力量計１０００をその位置に係止するための機構である。具体的には、図４及び図７に示すように、電子式電力量計１０００の上面と接触して係止する係止部６１０と、内部に当該係止部６１０を昇降移動させるピストン部６２０を有するエアシリンダ６３０とを含む構成である。また、係止部６１０とピストン部６２０との間に弾性体６４０（本実施形態ではコイルスプリング）を配置することが好ましい。なお、図４及び図６のように、弾性体６４０とピストン部６２０との間に、シリンダヘッド６５０を介在させておいてもよい。この電力量計係止機構６００は、少なくとも電子式電力量計１０００の高さ分の距離をあけて、電力量計設置部１００の上側に、昇降制御機構４００と略平行に配設される。
【００３８】
電力量計係止機構６００は、図７（ａ）に示すように、自動結線装置１０にセットされる直前の電子式電力量計１０００が係止部６１０と接触すると、弾性体６４０がバネ力を有しながら縮み、それに伴って係止部６１０が基板７００の内側に押し込まれる。その後、電子式電力量計１０００が、図７（ｂ）にて示す位置まで移動すると、前記バネ力が開放されて弾性体６４０が伸び、係止部６１０が元の位置に戻る。
【００３９】
一方で、試験が終了した場合、エアシリンダ６３０の作用により、ピストン部６２０に伴い係止部６１０が降下する。これにより、それまで電子式電力量計１０００を係止していた支え（係止部６１０）がなくなり、電子式電力量計１０００を自動結線装置１０から取り外すことができる。
【００４０】
なお、自動結線装置１０は、上記した昇降制御機構４００の動作と、電力量計係止機構６００の動作を連動させる構成としてもよい。この場合の自動結線装置１０の作用を図８のフローチャートを用いて説明する。
【００４１】
まず、試験者が電子式電力量計１０００を電力量計設置部１００に設置する（Ｓ１０１）と、電力量計設置判定センサー５００が、電子式電力量計１０００の設置状態の有無を判定する。電子式電力量計１０００が設置状態に有ると判定されると、その情報がマイコン等、自動結線装置１０の演算部（図示しない）に送られ、当該演算部が、昇降制御機構４００を駆動可能状態として設定する（Ｓ１０２）。その後、試験者の手動等により、昇降制御機構４００のスイッチが押される（Ｓ１０３）と、駆動可能状態に設定されている昇降制御機構４００の駆動が開始し、第一の電流端子接触部２００の降下、及び電流端子１１００との接触により、自動結線装置１０を通じて、電子式電力量計１０００と試験装置とが電気的に接続され、記載を略した試験装置から電圧と電流が供給され、試験が開始される（Ｓ１０４）。
【００４２】
試験が終了すると、試験者の手動等により、再び昇降制御機構４００のスイッチが押され（Ｓ１０５）、昇降制御機構４００及び第一の電流端子接触部２００が上昇する（Ｓ１０６）とともに、電力量計係止機構６００が駆動して、係止部６１０が下降する（Ｓ１０７）。最後に、電子式電力量計１０００が電力量計設置部１００から取り外されると、電力量計設置判定センサー５００がその旨判定し（Ｓ１０８）、再び電力量計係止機構６００が駆動して、今度は、係止部６１０を上昇させる（Ｓ１０９）。
【００４３】
次に、上記自動結線装置１０において、さらに、電子式電力量計１０００が所定の電力量の計量に応じて発するパルス光線（例えば、赤外線等）を利用して、電子式電力量計１０００の電力量表示メータを視認する以外の方法でも、試験時に電子式電力量計１０００に供給される電力量を計測することが可能な自動結線装置について、図９を参照して説明する。
【００４４】
図９は、自動結線装置１０の正面図である。電子式電力量計１０００は、所定の電力量の計量に応じて、パルスを出力する回路を備える。このパルス信号を光に変換し、図１に示す光線発光部１３００から発光する。図９に示す符合９００は、このパルス光線を受光するためのパルス光線受光機構である。
【００４５】
このパルス光線受光機構９００の構成は、受光アーム９１０と、受光アーム９１０の軸部９１１を中心に、受光アーム９１０を回動可能に制御する受光アーム回動制御部９２０とを含む。また、受光アーム９１０は、その端部９１０Ａに光線発光部１３００からの光線を受光する受光素子９１２を備える。具体的には、受光アーム回動制御部９２０（例えば、エアアクチュエータ）が、受光アーム９１０の軸部９１１を回転させるように作用し、それに伴い受光アーム９１０が回動する。
【００４６】
本実施形態では、パルス光線受光機構９００は、さらに、基板７００に垂直に立設される略直方体状の受光アーム取付部９３０を備えている。この受光アーム取付部９３０の上面９３０Ａに、受光アーム９１０が、軸部９１１が回転可能に支持された状態となって取り付けられる。基板７００に立設された受光アーム取付部９３０は、その上面９３０Ａが電力量計設置部１００に設置された電子式電力量計１０００の上面よりも前に来る（図９では手前側）程度の高さを有する。
【００４７】
そうすることで、受光アーム９１０が、電力量計設置部１００に設置された電子式電力量計１０００の前方（図９では、電子式電力量計１０００の手前側）の空間を回動することができる。
【００４８】
受光アーム回動制御部９２０の作用により、受光アーム９１０が回動すると、端部９１０Ａに取り付けられた受光素子９１２が、電子式電力量計１０００の光線発光部１３００と直接対向する位置に移動する。これにより、受光素子９１２は、光線発光部１３００からの光線を受光することが可能となる。
【００４９】
なお、パルス光線受光機構９００は、受光したパルス光線のデータを受信する受信部及び受信データから電子式電力量計１０００が計量した電力量を計測する演算部を備えるようにしてもよい（上記した演算部と同じものであってもよいし、異なるものであってもよい。）。この演算部に、試験時に所定のシーケンスに従って受光アーム９１０を回動させるよう命令する機能をもたせれば、演算部が、上記受光アーム制御部９２０しても働く。
【００５０】
これにより、試験者が、電子式電力量計１０００の電力量表示メータを視認する以外の方法でも、電子式電力量計１０００に供給された電力量を計測することが可能となり、より正確に試験を行うことができる。図９では、パルス光線受光機構９００は、基板７００上で、且つ電力量計設置部１００の右側の位置に立設されているが、立設位置はこれに限定されない。
【図面の簡単な説明】
【００５１】
【図１】電子式電力計１０００の正面図。
【図２】電子式電力計１０００の底面図。
【図３】電子式電力計１０００の右側面図。
【図４】本発明の一実施形態に係る自動結線装置の側面図。
【図５】本発明の一実施形態に係る自動結線装置の正面図。
【図６】本発明の一実施形態に係る自動結線装置の図４Ａ−Ａ線の矢視図
【図７】本発明の一実施形態に係る電子式電力量計が自動結線装置にセットされる前後の様子を示す図。
【図８】本発明の一実施形態に係る自動結線装置の動作フローチャート。
【図９】パルス光線受光機構を備える本発明の一実施形態に係る自動結線装置の正面図。
【符号の説明】
【００５２】
１０      自動結線装置
１００    電力量計設置部
２００    第一の電流端子接触部
２１０    第二の電流端子接触部
３００    電圧端子接触部
４００    昇降制御機構
５００    電力量計設置判定センサー
６００    電力量計係止機構
７００    基板
７１０    絶縁ブロック
９１０    受光アーム
１０００  電子式電力量計
【図１】
0005557031.tif 000002
【図２】
0005557031.tif 000003
【図３】
0005557031.tif 000004
【図４】
0005557031.tif 000005
【図５】
0005557031.tif 000006
【図６】
0005557031.tif 000007
【図７】
0005557031.tif 000008
【図８】
0005557031.tif 000009
【図９】
0005557031.tif 000010